(57)【要約】【課題】  簡単な構成でスペース効率が良く、フィルタの洗浄などの手間がかからず、フィルタ交換などによるゴミも発生させず、確実に水の汚染を抑制し殺菌、浄化する浄化装置を提供する。【解決手段】  各々絶縁被覆された２本の電線６を、被処理水を流す一本の管体４の外側にそれぞれ巻回して、２つコイル部８ａ，８ｂを形成する。コイル部８ａ，８ｂに、商用電源に直接接続した交流電流を流し、コイル部８ａ，８ｂを流れる電流により誘起される電磁界を、管体４内を流れる被処理水に印加する。２つのコイル部８ａ，８ｂを形成した電線６のうち、一方のコイル部８ａを形成した電線６は、他方のコイル部８ｂの外側を管体４の長手方向に直線状に沿って延び、他方のコイル部８ｂを形成した電線６は、一方のコイル部８ａの外側を管体４の長手方向に直線状に沿って延びている。【選択図】図１
2006007060.tif 000002
【特許請求の範囲】
【請求項１】
各々絶縁被覆された２本の電線を、被処理水を流す一本の管体の外側にそれぞれ巻回して２つコイル部を形成し、前記コイル部に商用電源に直接接続した交流電流を流し、前記コイル部を流れる電流により誘起される電磁界を、前記管体内を流れる被処理水に印加することを特徴とする浄化装置。
【請求項２】
前記２つのコイル部を形成した電線のうち、一方のコイル部を形成した電線は、他方のコイル部の外側を前記管体の長手方向に直線状に沿って延び、前記他方のコイル部を形成した電線は、前記一方のコイル部の外側を前記管体の長手方向に直線状に沿って延びていることを特徴とする請求項１記載の浄化装置。
【請求項３】
前記コイル部を形成する一対の電線の一方の各端部は、商用電源に接続され、他方の各端部は、他の電気器具に接続され、前記商用電源を作動させると、商用交流電流が前記電線によるコイル部を流れることを特徴とする請求項１または２記載の浄化装置。
【発明の詳細な説明】
【技術分野】
【０００１】
この発明は、鯉などの養殖池や家庭の鑑賞魚用の池などの汚れた水を処理して水質を維持する浄化装置に関する。
【背景技術】
【０００２】
従来、鯉の養殖池や家庭の観賞魚の池の水は、飼育する魚の食べ残しの餌や排泄物、水垢、藻などにより時間の経過とともに細菌に汚染され水質が悪化する。そのため、水質を改善することが必要になるが、頻繁に池の水の入れ替え及び清掃を行うのは非効率であり、薬品などによる水質処理は、取り扱いが難しく魚の生育にも影響を及ぼしかねない。さらに、環境に悪影響を及ぼす可能性もある。そのため、汚水を浄化装置により処理し、浄化した水を循環使用されるのが一般的である。また、池の水を浄化する浄化装置の処理方法には、いろいろな材質や構造を持つフィルタにより、水を濾過して浄化するのが一般的である。
【０００３】
一方、水を循環させる配管は、汚染された水を流すため、水の中の汚染物質により配管壁内に、汚染物質によるスケールや微生物による有機物等が付着する。このスケールの付着防止処理を行う方法として特許文献１〜３に記載されるような電磁界処理を行う方法が知られている。例えば、特許文献１，３には、配管に電線をコイル状に巻き付けて、専用の電源により周波数が変化する電流をコイルに流し、コイル周辺に対して、時間的に変化する電界と磁界を発生させる電磁界処理装置が開示されている。これにより、発生した電界や磁界が配管の中を流れる水を電磁的に処理し、流体中の物質によるスケールが配管内部に付着することを防止するものである。
【０００４】
さらに、特許文献２には、水を電磁界処理することにより、水質を改善し、錆や配管のつまり、アンモニア臭等を防止する処理方法が開示されている。
【特許文献１】特開２００１−３８３６２号公報
【特許文献２】特開２０００−２１２７８２号公報
【特許文献３】特開平８−４２９９３号公報
【発明の開示】
【発明が解決しようとする課題】
【０００５】
上記従来の技術において、池の水を浄化する方法として一般的であるフィルタを使用し水を濾過する方法は、水を濾過するフィルタを定期的に洗浄または交換する必要があり、コストがかかる。また、フィルタを用いる浄化装置は、幾重にも重ねたフィルタと水を循環させる配管及びポンプにより形成されるため、スペース効率がよくない。さらに、フィルタの洗浄作業や寿命の尽きたフィルタはゴミとして廃棄することになり、材質によっては、細かな分別作業などが必要であり洗浄作業と共に手間がかかるものである。
【０００６】
そのほか、水を循環させる配管内部にも水の汚染物質によるスケールや有機物が付着するため、配管内部の定期的なスケール等の除去作業が必要である。このスケールの付着については、特許文献１〜３に開示される装置により、電磁界処理を行うことで防止することが可能である。しかし、浄化装置のほかに、さらに、装置の設置スペースが必要となる問題がある。
【０００７】
この発明は、上記従来技術の問題点に鑑みて成されたもので、簡単な構成でスペース効率が良く、フィルタの洗浄などの手間がかからず、フィルタ交換などによるゴミも発生せず、確実に水の汚染を抑制し殺菌、浄化する浄化装置を提供することを目的とする。
【課題を解決するための手段】
【０００８】
この発明は、各々絶縁被覆された２本の電線を、被処理水を流す一本の管体の外側にそれぞれ巻回して２つコイル部を形成し、前記コイル部に、商用電源に直接接続した交流電流を流し、前記コイル部を流れる電流により誘起される電磁界を、前記管体内を流れる被処理水に印加するようにした浄化装置である。
【０００９】
前記２つのコイル部を形成した電線のうち、一方のコイル部を形成した電線は、他方のコイル部の外側を前記管体の長手方向に直線状に沿って延び、前記他方のコイル部を形成した電線は、前記一方のコイル部の外側を前記管体の長手方向に直線状に沿って延びているものである。
【００１０】
また、前記コイル部を形成する一対の電線の一方の各端部は、商用電源に接続され、他方の各端部は、他の電気器具に接続される。そして、前記他の電気器具を作動させると、商用交流電流が前記電線による前記コイル部に流れるものである。
【発明の効果】
【００１１】
この発明の浄化装置によれば、設置スペースを取らず配管効率が良く、被処理水の殺菌や消毒、有機物の分解等の機能を発揮し、フィルタの洗浄などの手間がかからないものである。さらに、フィルタ交換などによるゴミも発生せず、消費電力も極めて少なく、確実に水の汚染を防止することができるものである。
【発明を実施するための最良の形態】
【００１２】
以下、この発明の浄化装置の一実施形態について、図１、図２を基にして説明する。この実施形態の浄化装置は、鯉の養殖池などの水質悪化を抑制する浄化装置として使用されるものである。
【００１３】
この実施形態の浄化装置２は、図１に示すように、水道の配管など使用される適宜な長さの直管状磁性体金属製の管体４に、絶縁体で被覆された２本の電線６が巻回されている。２本の電線６は、管体４の外側に同じ巻回し方向に互いに重ならない状態で、各々管体４を２分するようにほぼ同数の１００回以上巻回しされ、２つのコイル部８ａ，８ｂを形成している。また、２つのコイル部８ａ，８ｂは、管体４のほぼ中央部で、適宜な間隔を空けて形成されている。
【００１４】
電線６のコイル部を形成していない部分は、コイル部８ａを形成した電線６が、コイル部８ｂの外側を管体４の長手方向に直線状に沿って延び、コイル部８ｂを形成した電線６は、コイル部８ａの外側を管体４の長手方向に直線状に沿って延びている。それぞれの電線６の両端には、管体４の両端部１２ａ，１２ｂ近傍で、樹脂チューブ１４が被着されている。
【００１５】
また、管体４の両端部１２ａ，１２ｂは、金属製の管体４に、管体４と内径は同じで外径の異なる塩化ビニール樹脂製の短い補助管１６が、塩化ビニール樹脂製の端部取付部１８により嵌合している。この端部取付部１８は、内径が金属製の管体４の外径にほぼ等しく、管体４に装着する部分の外径が若干太くなっており、外周に段差がついている。さらに、両端部１２ａ，１２ｂの端部取付１８の周囲の適宜な箇所に、管体４の長手方向に平行状態で樹脂チューブ１４の端部が端部取付１８に固定されている。そして、管体４、コイル部８ａ，８ｂ、及び両端部１２ａ，１２ｂは、塩化ビニール製の外筒１０に収納され、両端部１２ａ，１２ｂでは、管体４の両端開口のみが開口した状態に形成される。
【００１６】
ここで、この実施形態の浄化装置２により水の汚染を抑制する原理について説明する。例えば、生活排水などの流体が流れる配管では、その配管内壁にスケールやその他有機物などが付着し、付着したスケール等が細菌等の微生物の温床となり、それら細菌や微生物の活動が水質悪化の原因となっている。
【００１７】
そこで、水質悪化を抑制するために、配管内を流れる水などの被処理流体を電磁界処理するものである。電磁界処理とは、流体流路を構成する管体の外側に設けたコイルに、電磁界誘起電流を流すことにより、コイルに電磁界を誘起させて、管体内に磁場と電場を生じさせ、この磁場と電場の電子エネルギーによって、管体内を流れる流体に対して、流体の分子及び流体中のイオンを媒体として電界エネルギーを与えるものである。
【００１８】
これにより、一つの現象として、スケールの表面及び管体の内面を共に強く負に帯電させるため、流体中のスケールと管体内面を反発させ、スケールの付着防止を図ると共に、スケール同士の結合を阻害し、結晶化を防ぐものである。さらに、流体の表面張力を低下させ且つ水クラスタを微少化させることにより、スケール結晶内に水を浸透させ小結晶化させる。このように、電磁界処理された水によると、スケールの付着や結晶の大型化が難しい。そのため、例えば、微生物の栄養源や繁殖地となるスケール（Ｃａ、Ｍｇ、その他）の付着や結晶の大型化が難しいため、微生物の繁殖を抑えることになり、水質の悪化を抑えることが可能になる。
【００１９】
次に、この実施形態の浄化装置２の動作作用について説明する。この実施形態では、図２に示すように、管体４に２つのコイル部８ａ，８ｂを巻回し、コイル部を形成する一対の電線６の一方の端部は電源２０に接続され、もう一方の端部は、ポンプ用のモータ２２等の他の電気器具に接続されている。電源２０からモータ２２を作動させるために、モータ２２のスイッチを入れると、商用交流電流が電線６によるコイル部８ａ，８ｂを流れる。すると、モータ２２を動作させる交流電流は、まず、２つのコイル部８ａ，８ｂを流れることになり、２つコイル部８ａ，８ｂのそれぞれの内側にある管体４内部には、磁場２４と電場２６が発生し、管体４内部を流れる流体は、発生した磁場２４と電場２６により電磁界処理されることになる。この時、図２の管体の開口部４ａから流れ込む流体は、電磁界処理されて管体開口部４ｂから流れ出てくることになる。
【００２０】
次に、この浄化装置２の使用方法について説明する。まず、図１に示す浄化装置２を、鯉の養殖池の水を循環させ浄化させる配管途中に接合し設置する。次に、浄化装置２の電線６の端部を図示しないコンセント等により商用電源に接続し、もう一方の電線６の端部は、水を循環させる図示しないポンプのモータ２２の端子に接続する。そして、商用電源から流れる交流電流によりポンプ用のモータ２２が作動すると、管体４内を池の水が循環するとともに、電線６によるコイル部８ａ，８ｂに電流が流れ、２つコイル部８ａ，８ｂのそれぞれの内側にある管体４内部には、磁場２４と電場２６が発生する。
【００２１】
この実施形態の浄化装置２によれば、浄化装置２の２つのコイル部８ａ，８ｂへの電流供給に専用電源を使用することなく、ポンプなどへの商用電源を供給する電線に直列に接続するだけで良く、エネルギー消費も極めて少ない。そのため、専用電源のスペースが必要ないためスペース効率がよく、さらに、設置した後は洗浄や定期点検などのメンテナンスも不要であり、手間のかからないものである。また、実験的に、有機物により汚れた池の水も２〜３日で透明で綺麗な水になり、綺麗な藻の繁殖が活発になった。さらに、細菌やウイルスが殺菌されることから、養殖している鯉等の病死がなくなり、健康状態も向上するものである。
【００２２】
なお、この発明の浄化装置に用いられる管体には、金属管以外に、磁界は弱くなるが塩化ビニール管を用いてもよく、さらに、管体の太さや長さも適宜選択可能である。また、管体に巻回してコイル部を形成する電線の太さ及び被覆の材質も適宜選択可能である。また、コイル部の巻数も上記実施形態に限定されるものではなく、適宜設定可能である。
【００２３】
その他、管体の外側にコイル部が形成されていればよいため、２つのコイル部の隙間部分で管体が湾曲していてもよい。
【実施例１】
【００２４】
この発明の一実施例による浄化装置２を使用した際の、池の水の水質を検査した検査結果を表１，２に挙げる。鯉の養殖池で使用される水には、地下水を利用することが一般的である。このため、検査には池の水に使用する井戸水と、池から採取した水を検査している。池に使用する井戸水の水質と浄化装置を循環した池の水の検査結果は、表の通りである。
【００２５】
【表１】
2006007060.tif 000003
【００２６】
【表２】
2006007060.tif 000004
【００２７】
なお、表１は飲用可能な井戸水であり、表２は循環使用している養殖池の水である。この水質検査は、富山県中部厚生センターに依頼し、検査されたものである。
【００２８】
この水質検査結果によると、表１に比較し表２の一般細菌のＣＦＵ値が若干増えてはいるが、そのほかの値は、微増またはほとんど変化していないものである。さらに、表中の各値の下にあるカッコ内に記載された水質基準値に比較して低い値に留まっているのが確認できた。この結果からも明らかなように、この実施例の浄化装置によれば、汚染の進行がほとんど見られず、十分に水の汚染抑制効果があるものである。なお、表１、表２にあるＣＦＵ値とは、肉眼的に確認できる細菌のコロニ（集落）数を表す値である。
【００２９】
この浄化装置を付けた鯉池では、これまで月に１〜２匹の鯉が病死していたものを、取付後２ヶ月間、鯉の病死がなく、鯉の健康状態に対しても良好な効果が得られた。
【図面の簡単な説明】
【００３０】
【図１】この発明の一実施形態の浄化装置を示す概略図である。
【図２】この実施形態の浄化装置の機能を示す概略構成図である。
【符号の説明】
【００３１】
２  浄化装置
４  管体
６  電線
８ａ，８ｂ  コイル部
１２ａ，１２ｂ  端部
１４  樹脂チューブ
【図１】
2006007060.tif 000005
【図２】
2006007060.tif 000006